(57)【特許請求の範囲】
【請求項１】
色成分値を検出する可搬性の測色計とデータ通信可能なデジタルカメラであって、
前記測色計で検出された色成分値を、測色計色成分値として取得する測色計色成分値取得手段と、
被写体に係る画像データを取得する撮像手段と、
前記測色計色成分値に基づいて前記画像データに色補正処理を行う色補正手段と、
前記デジタルカメラが前記データ通信によって前記測色計から前記測色計色成分値を受信しているか否かを判定する判定手段と、
を備え、
前記色補正手段は、
前記判定手段により前記デジタルカメラが前記測色計から前記測色計色成分値を受信していると判定された場合と、前記測色計から前記測色計色成分値を受信していないと判定された場合とで、前記色補正処理の内容を相違させることを特徴とするデジタルカメラ。
【請求項２】
請求項１に記載のデジタルカメラにおいて、
入射光の色成分値を、入射光色成分値として取得する入射光色成分値取得手段、
をさらに備え、
前記色補正手段は、
前記判定手段により前記デジタルカメラが前記測色計から前記測色計色成分値を受信していると判定された場合は、前記測色計色成分値に基づいて前記色補正処理を行い、
前記判定手段により前記デジタルカメラが前記測色計から前記測色計色成分値を受信していないと判定された場合は、前記入射光色成分値に基づいて前記色補正処理を行うことを特徴とするデジタルカメラ。
【請求項３】
色成分値を検出する可搬性の測色計とデータ通信可能なデジタルカメラであって、
前記測色計で検出された色成分値を、前記測色計とのデータ通信によって受信し、測色計色成分値として取得する測色計色成分値取得手段と、
入射光の色成分値を、入射光色成分値として取得する入射光色成分値取得手段と、
被写体に係る画像データを取得する撮像手段と、
前記デジタルカメラが前記測色計から前記測色計色成分値を受信しており、且つ、前記測色計色成分値から導出される値と前記入射光色成分値から導出される値との差が所定の閾値未満の場合は、前記測色計色成分値に基づいて色補正処理を行い、前記デジタルカメラが前記測色計から前記測色計色成分値を受信していない場合、又は、前記測色計色成分値から導出される値と前記入射光色成分値から導出される値との差が前記所定の閾値以上の場合は、前記入射光色成分値に基づいて色補正処理を行う色補正手段と、
を備えることを特徴とするデジタルカメラ。
【発明の詳細な説明】
【０００１】
【発明の属する技術分野】
本発明は、可搬性の測色計を利用した色補正技術に関する。
【０００２】
【従来の技術】
銀塩カメラやデジタルカメラ等の撮像装置によって取得される画像は、被写体を照明する照明光の影響を受けることにより、照明光に応じた色に偏る現象（いわゆる色かぶり）が生じる。この現象は色の恒常性を持っている人間にとっては不自然に感じることとなるため、従来よりこの現象の補正（ホワイトバランス補正）が行われている。
【０００３】
この補正手法の一つとして、入射する光の色度や色温度などの色成分値を高精度に検出する可搬性の測色計を利用することが行われている。具体的には、測色計によって被写体方向の色成分値を検出し、検出された色成分値に応じて色を補正するレンズフィルタを撮像装置のレンズに装着して撮影を行う。これにより、撮像装置への入射光の色がレンズフィルタによって補正され、画像を自然な画像として取得することができる。
【０００４】
【発明が解決しようとする課題】
しかしながら、上記手法で撮影を行うためには、撮影前に測色計で色成分値を確認してからそれに応じたレンズフィルタを装着しなければならず、繁雑な作業が伴うこととなり、最適なシャッターチャンスを逃してしまうこともあった。
【０００５】
また、レンズフィルタによって補正を行うことから、精度の高い色成分値が得られているにもかかわらず、その色成分値を正確に反映する精度の高い色補正を行うことはできなかった。
【０００６】
これを解決するために、撮像装置自身に色成分値を高精度に検出するセンサを設けることも考えられるが、このようなセンサは高価であるとともに、撮像装置の回路の複雑化や大型化につながることとなる。
【０００７】
本発明は、上記課題に鑑みてなされたものであり、可搬性の測色計で検出された色成分値に基づいて、取得される画像に対して精度よく色補正をすることができるデジタルカメラを提供することを目的とする。
【０００８】
【課題を解決するための手段】
上記の課題を解決するため、請求項１の発明は、色成分値を検出する可搬性の測色計とデータ通信可能なデジタルカメラであって、前記測色計で検出された色成分値を、測色計色成分値として取得する測色計色成分値取得手段と、被写体に係る画像データを取得する撮像手段と、前記測色計色成分値に基づいて前記画像データに色補正処理を行う色補正手段と、前記デジタルカメラが前記データ通信によって前記測色計から前記測色計色成分値を受信しているか否かを判定する判定手段と、を備え、前記色補正手段は、前記判定手段により前記デジタルカメラが前記測色計から前記測色計色成分値を受信していると判定された場合と、前記測色計から前記測色計色成分値を受信していないと判定された場合とで、前記色補正処理の内容を相違させることを特徴とする。
【０００９】
また、請求項２の発明は、請求項１の発明に係るデジタルカメラにおいて、入射光の色成分値を、入射光色成分値として取得する入射光色成分値取得手段、をさらに備え、前記色補正手段は、前記判定手段により前記デジタルカメラが前記測色計から前記測色計色成分値を受信していると判定された場合は、前記測色計色成分値に基づいて前記色補正処理を行い、前記判定手段により前記デジタルカメラが前記測色計から前記測色計色成分値を受信していないと判定された場合は、前記入射光色成分値に基づいて前記色補正処理を行うことを特徴とする。
【００１１】
また、請求項３の発明は、色成分値を検出する可搬性の測色計とデータ通信可能なデジタルカメラであって、前記測色計で検出された色成分値を、前記測色計とのデータ通信によって受信し、測色計色成分値として取得する測色計色成分値取得手段と、入射光の色成分値を、入射光色成分値として取得する入射光色成分値取得手段と、被写体に係る画像データを取得する撮像手段と、前記デジタルカメラが前記測色計から前記測色計色成分値を受信しており、且つ、前記測色計色成分値から導出される値と前記入射光色成分値から導出される値との差が所定の閾値未満の場合は、前記測色計色成分値に基づいて色補正処理を行い、前記デジタルカメラが前記測色計から前記測色計色成分値を受信していない場合、又は、前記測色計色成分値から導出される値と前記入射光色成分値から導出される値との差が前記所定の閾値以上の場合は、前記入射光色成分値に基づいて色補正処理を行う色補正手段と、を備えることを特徴とする。
【００１８】
【発明の実施の形態】
以下、図面を参照しつつ本発明の実施の形態について説明する。
【００１９】
＜１．第１の実施の形態＞
図１は、本発明の第１の実施の形態に係るデジタルカメラが適用される画像処理システムの概要を示す図である。図１に示すように、画像処理システム１０は、被写体５を撮影して画像データを取得するデジタルカメラ１と、自身への入射光の色成分値（ＣＩＥのＸＹＺ表色系に準拠したＸＹＺ値）を高精度に検出する可搬性の測色計２とを備えている。
【００２０】
デジタルカメラ１および測色計２はそれぞれ、無線通信インターフェースを備えており、デジタルカメラ１と測色計２との間で各種データの通信を行うことが可能となっている。
【００２１】
図に示すように、デジタルカメラ１と測色計２とは、同一の被写体５に向けて使用される。測色計２は被写体５方向の色成分値を取得し、デジタルカメラ１は測色計２から色成分値を受信して該色成分値に基づいて画像データに対してホワイトバランス補正を行うことによる連動が可能となっている。
【００２２】
＜１−１．デジタルカメラの構成＞
図２ないし図４は、デジタルカメラ１の要部構成を示す図であり、図２は内部主要部を含めた平面図、図３は図１のＩＩ−ＩＩ位置から見た断面図、図４は背面図に相当する。これらの図は必ずしも三角図法に則っているものではなく、デジタルカメラ１の要部構成を概念的に例示することを主眼としている。
【００２３】
デジタルカメラ１は、銀塩一眼レフカメラを利用して構成されたカメラボディ１２と、このカメラボディ１２のレンズマウント部Ｍｔに着脱可能な交換レンズ１３とを有している。
【００２４】
交換レンズ１３の光軸方向Ｌの後方には、カメラボディ１２内の後部上方の枢支部１２１に回動可能に枢支されたクイックリターンミラーＭ１が配設され、さらにこのクイックリターンミラーＭ１の光軸方向Ｌの後方には、フォーカルプレーンシャッター１２２と、さらにその後方にカラー撮像素子１２３とが配置されている。
【００２５】
カラー撮像素子１２３の前面には、カラー撮像素子１２３からのアナログ画像信号のサンプリング時の折り返しノイズの影響を抑える空間ローパスフィルタ１２４が配設されている。
【００２６】
カメラボディ１２では、クイックリターンミラーＭ１の上方位置において、銀塩カメラのファインダーに相当する光学部位１８が形成されており、この光学部位１８には、フォーカシングスクリーン１８１を介してペンタ形プリズム１８２が設けられている。さらに、このプリズム１８２とファインダー窓１８４との間には、接眼レンズ１８３が配置されている。このクイックリターンミラーＭ１、プリズム１８２および接眼レンズ１８３により、光学ファインダーを形成することとなる。
【００２７】
サブミラーＭ２は、クイックリターンミラーＭ１に一体化されたミラーであり、クイックリターンミラーＭ１に部分的に設けられたハーフミラー部を透過した光学像を、このサブミラーＭ２で測距センサ１２６および測光センサ１２７に向かわせる。測距センサ１２６は交換レンズ１３に内蔵されるレンズ群を合焦させるために被写体までの距離を検出するものであり、測光センサ１２７は露光量を調節するために被写体の輝度を検出するものである。
【００２８】
カメラボディ１２の上部には、シャッタボタン１２９が設けられており、銀塩カメラで採用されているような半押し状態（Ｓ１）と全押し状態（Ｓ２）とが検出可能な２段階スイッチとなっている。
【００２９】
シャッタボタン１２９が操作者によって全押されるまでは、クイックリターンミラーＭ１は、図２に示すように光軸に対して４５度の角度で傾斜した定常位置にあり、交換レンズ１３からの光軸Ｌをフォーカシングスクリーン１８１へと向かわせる。シャッタボタン１２９が全押しされると、枢支部１２１を中心として、ほぼ水平位置まで上方に回動して交換レンズ１３からの光路を開放するようになっている。
【００３０】
カメラボディ１２の内部には、交換レンズ１３に含まれるフォーカスレンズを光軸方向Ｌに駆動するためのＡＦモータ１２８が設けられるとともに、デジタルカメラ１に電力を供給する４本の電池Ｅと、撮影された画像データなどを記録するメモリカード９とが装填可能となっている。
【００３１】
レンズマウント部Ｍｔの上部には、Ｂｌｕｅｔｏｏｔｈ（Ｒ）規格に準拠した無線通信インターフェース（以下、「無線Ｉ／Ｆ」という。）１２５が設けられており、これにより、測色計２で検出された色成分値等の情報を測色計から取得可能となっている。
【００３２】
カメラボディ１２の背面のファインダー窓１８４の右方には、ＬＥＤなどで構成される表示ランプ１８５が設けられている。この表示ランプ１８５の点灯や点滅により、操作者はデジタルカメラ１からの各種情報を確認することができる。
【００３３】
カメラボディ１２の背面中央部には、カラー撮像素子１２３の出力に基づいて得られた画像データを表示する液晶ディスプレイ（ＬＣＤ）１３１が設けられている。また、その左方には「撮影モード」と「再生モード」などを切換設定する切替スイッチ１３２が設けられている。撮影モードは、写真撮影を行なうモードであり、再生モードは、メモリカード９に記録された画像データをＬＣＤ１３１に再生表示するモードである。
【００３４】
デジタルカメラ１の背面右方には、十字キー１３３が設けられており、ボタンＵ、Ｄ、Ｌ、Ｒで各種操作が行える。また、カメラボディ１２の背面には、デジタルカメラ１の電源を入り切りする電源スイッチ１３４が設けられている。
【００３５】
図５は、デジタルカメラ１内部の主たる構成を示すブロック図である。
【００３６】
カラー撮像素子１２３は、ＣＣＤからなるエリアセンサの各画素の表面に、Ｒ（赤）、Ｇ（緑）、Ｂ（青）のカラーフィルタが市松模様状に貼り付けられた単板式カラーエリアセンサで構成される。
【００３７】
このカラー撮像素子（以下、「ＣＣＤ」という。）１２３は、交換レンズ１３によって結像された被写体の光像を、ＲＧＢの色成分を有する画像信号（各画素で受光された画素信号の信号列からなる信号：以下適宜、「画像データ」とも称する。）に光電変換して出力する。すなわちＣＣＤ１２３は、被写体に係る画像データを取得するとともに、入射光の色成分値をＲＧＢ値で取得することととなる。
【００３８】
なお、ＣＣＤ１２３のＲＧＢそれぞれのカラーフィルタは、ＣＩＥのＲＧＢ表色系に準拠した分光透過特性を有するものではなく、一般的なカラーフィルタである。このため、ＣＣＤ１２３において取得される色成分値は、ＣＩＥのＲＧＢ表色系に準拠したＲＧＢ値（以下、「ＣＩＥＲＧＢ値」という。）が取得されるわけではなく、あくまでＣＩＥＲＧＢ値に類似した値が取得されるのみである。
【００３９】
デジタルカメラ１における露出制御は、測光センサ１２７で検出された被写体の輝度に基づいて、絞り制御ドライバ１４２による交換レンズ１３内のレンズ群の絞りと、ＣＣＤ１２３の露光量、すなわち、シャッタスピードに相当するＣＣＤ１２３の電荷蓄積時間を調節して行なわれる。
【００４０】
タイミングジェネレータ１４１は、タイミング制御回路１４３から送信される基準クロック基づきＣＣＤ１２３の駆動制御信号を生成するものである。タイミングジェネレータ１４１は、例えば積分開始／終了（露出開始／終了）のタイミング信号、各画素の受光信号の読出制御信号（水平同期信号，垂直同期信号，転送信号等）等のクロック信号を生成し、ＣＣＤ１２３に出力する。
【００４１】
信号処理回路１４４は、ＣＣＤ１２３から出力される画像信号（アナログ信号）に所定のアナログ信号処理を施すものである。信号処理回路１４４は、ＣＤＳ（相関二重サンプリング）回路とＡＧＣ（オートゲインコントロール）回路とを有し、ＣＤＳ回路により画像信号のノイズの低減を行ない、ＡＧＣ回路のゲインを調整することにより画像信号のレベル調整を行なう。
【００４２】
Ａ／Ｄ変換部１４５は、画像信号の各画素信号を例えば１２ビットのデジタル信号に変換するものである。Ａ／Ｄ変換部１４５は、タイミング制御回路１４３から入力されるＡ／Ｄ変換用のクロックに基づいて各画素信号（アナログ信号）をデジタル信号に変換する。
【００４３】
タイミング制御回路１４３は、タイミングジェネレータ１４１、信号処理回路１４４およびＡ／Ｄ変換部１４５に対するクロックを生成するものであり、全体制御部１６０からの基準クロックにより制御される。
【００４４】
黒レベル補正回路１４６は、Ａ／Ｄ変換された画素信号（以下適宜、「画素値」とも称する。）の黒レベルを基準の黒レベルに補正するものである。
【００４５】
ＷＢ（ホワイトバランス）回路１４７は、Ｒ，Ｇ，Ｂの各色成分からなる画素値を変換することにより、画像データに対してホワイトバランス補正を施すものである。ＷＢ回路１４７は、画像データの色成分値（全画素のＲＧＢ値）、または、測色計２で検出された色成分値（ＸＹＺ値）に基づいてＲ，Ｇ，Ｂの各色成分の各画素値を補正する。このホワイトバランス補正については、後に詳述する。
【００４６】
画像メモリ１４８は、ＷＢ回路１４７から出力される画素データを記憶するメモリである。ＶＲＡＭ１５０は、ＬＣＤ１３１に表示される画像データのバッファメモリである。また、バックライト１５１はＬＣＤ１３１の背面に光を供給する。
【００４７】
デジタルカメラ１のフォーカス制御は、測距センサ１２６で検出された被写体の距離に基づいて、ＡＦモータ１２８を制御して交換レンズ１３に含まれるフォーカスレンズを駆動することによって行われる。
【００４８】
デジタルカメラ１の再生モードにおいては、メモリカード９から読み出された画像データが全体制御部１６０で所定の信号処理が施された後、ＶＲＡＭ１５０に転送され、ＬＣＤ１３１に再生表示されることとなる。
【００４９】
カードＩ／Ｆ１５２は、メモリカード９への画像データの書込み及び画像データの読出しを行なうためのインターフィースである。また、通信用Ｉ／Ｆ１５３は、外部のコンピュータ８等と通信可能に外部接続するための、例えばＵＳＢ規格に準拠したインターフェースである。
【００５０】
操作部１５４は、切替スイッチ１３２、十字キー１３３などで構成されている。
【００５１】
ＲＴＣ１５５は、撮影日時を管理するするための時計回路である。図示しない別の電源で駆動される。
【００５２】
カメラ操作部１５６は、主にデジタルカメラ１の撮影操作に関連するシャッタボタン１２９、電源スイッチ１３４などで構成されている。
【００５３】
全体制御部１６０は、ＣＰＵ１６１、ＲＡＭ１６２、ＲＯＭ１６３を有しており、上述したデジタルカメラ１の各部と有機的に接続してデジタルカメラ１の動作を統括制御するものである。
【００５４】
カメラ制御用ＣＰＵ１７０は、全体制御部１６０と通信可能に接続されており、主に操作者からのデジタルカメラ１への操作を処理するとともに、絞り制御ドライバ１４２およびＡＦモータ１２８の制御を担う。
【００５５】
全体制御部１６０は、カードＩ／Ｆ１５２あるいは通信用Ｉ／Ｆ１５３を介して、メモリカード９や、コンピュータ８で読み取られるＣＤ−ＲＯＭなどの記録媒体に記録している制御プログラムを取得しＲＯＭ１６３内に格納可能である。この制御プログラムに従って、全体制御部１６０のＣＰＵ１６１あるいはカメラ制御用ＣＰＵ１７０が演算処理を行うことにより、デジタルカメラ１の各部の動作制御がなされることとなる。
【００５６】
また、全体制御部１６０は、無線Ｉ／Ｆ１５７を介して測色計２から色成分値を取得し、取得した色成分値をＲＡＭ１６２へ保持させることが可能である。
【００５７】
全体制御部１６０は、撮影モードにおいて、シャッタボタン１２９により撮影が指示されると、撮影指示後に画像メモリ１４８に取り込まれた画像のサムネイル画像と設定された圧縮率によりＪＰＥＧ方式で圧縮された圧縮画像とを生成し、撮影画像に関するタグ情報（コマ番号、露出値、シャッタスピード、圧縮率、撮影日、撮影時のフラッシュのオンオフのデータ等）とともに両画像をメモリカード９に記憶する。
【００５８】
メモリカード９では、図６に示すように、デジタルカメラ１によって記録された画像を圧縮して記憶可能であり、各コマには、タグ情報Ｄｔ、ＪＰＥＧ形式で圧縮された高解像度の画像データ（例えば１６００×１２００画素）Ｄｆ、および、サムネイル表示用の画像データ（例えば８０×６０画素）Ｄｓが記録される。
【００５９】
＜１−２．測色計の構成＞
図７は、測色計２の主たる機能構成を示すブロック図である。測色計２は、図に示すようにマイクロコンピュータを備えて構成されている。具体的には、測色計２を統括制御するＣＰＵ２１、制御用プログラムなどを記憶するＲＯＭ２２、演算の作業領域であるとともに各種データを記憶するＲＡＭ２３を備えており、これらはそれぞれ電気的に接続されている。
【００６０】
ＣＰＵ２１には、測色センサ２４、Ａ／Ｄ変換部２５およびＸＹＺ変換部２６が電気的に接続され、これらは入射光の色成分値を検出する機能を実現する。
【００６１】
測色センサ２４は入射光が受光できるように配置されており、受光した入射光を信号（色成分値）に光電変換する３つの受光素子を備えている。３つの受光素子の受光面にはそれぞれＲ，Ｇ，Ｂの色成分に対応するカラーフィルタが設けられている。このカラーフィルタは、ＣＩＥのＲＧＢ表色系に準拠した分光透過特性を有しているため、測色センサ２４は色成分値としてＣＩＥＲＧＢ値を高精度に検出することが可能である。
【００６２】
Ａ／Ｄ変換部２５は、測色センサ２４で検出された色成分値（アナログ信号）を、例えば１２ビットのデジタル信号に変換する。
【００６３】
ＸＹＺ変換部２６は所定のマトリクス演算を行う回路であり、デジタル信号とされたＣＩＥＲＧＢ値の色成分値を、ＣＩＥのＸＹＺ表色系に準拠したＸＹＺ値に変換する。
【００６４】
また、ＣＰＵ２１には、色成分値の検出開始の指示を操作者から受け付ける測色スイッチ２７、検出された色成分値を表示する表示部２８、および、Ｂｌｕｅｔｏｏｔｈ（Ｒ）規格に準拠した無線通信インターフェース（以下、「無線Ｉ／Ｆ」という。）２９も電気的に接続されている。この無線Ｉ／Ｆにより、測色計２は検出した色成分値をデジタルカメラ１へ送信することが可能となる。
【００６５】
＜１−３．測色動作＞
次に、測色計２が入射光の色成分値を検出する動作について説明する。図８は、測色計２が色成分値を検出して、この色成分値をデジタルカメラ１へ送信する動作の流れを示す図である。なお、測色計２とデジタルカメラ１とは、予め両デバイスに固有の通信用アドレスを認識して接続認証等が処理済であり、通信可能な状態となっているものとする。
【００６６】
まず、操作者により測色スイッチ２７が押下されるとＣＰＵ２１でその旨が検知され、測色センサ２４に検出開始信号が入力される（ステップＳＴ１）。
【００６７】
次に、入力された検出開始信号に基づいて、測色センサ２４は入射光を受光して色成分値を検出する。検出された色成分値はＡ／Ｄ変換部２４によりデジタル信号とされ、さらに、ＸＹＺ変換部２６によりＸＹＺ値に変換される。ＸＹＺ値とされた色成分値はＲＡＭ２３に格納される（ステップＳＴ２）。
【００６８】
続いて、ＣＰＵ２１は、ＲＡＭ２３に色成分値が格納されたことをもって色成分値の検出の完了を検知し、表示部２８にＸＹＺ値の色成分値を表示させる（ステップＳＴ３）。
【００６９】
さらに、ＣＰＵ２１は、検出の完了に応答して、無線Ｉ／Ｆ２９を介して予め定められたデバイスであるデジタルカメラ１へＲＡＭ２３に格納された色成分値を送信する（ステップＳＴ４）。
【００７０】
このように色成分値の検出完了とともにこの色成分値がデジタルカメラ１へ送信されるため、測色スイッチを押下するという簡単な一回の操作で色成分値の送信まで完了することができるようになっている。
【００７１】
次に、上記のようにして色成分値が送信されるデジタルカメラ１側の動作について説明する。図９は、デジタルカメラ１の色成分値を取得する際における動作の流れを示す図である。
【００７２】
デジタルカメラ１は、測色計２との間で接続認証等が処理されて通信可能な状態となった後は色成分値の受信を待機する状態となっている（ステップＳＴ５）。
【００７３】
この状態で測色計２から無線Ｉ／Ｆ１５７を介して色成分値を受信した場合（ステップＳＴ５にてＹｅｓ）は、全体制御部１６０により受信した色成分値（以下、「測色計色成分値」という。）はＲＡＭ１６２に格納されて保持される（ステップＳＴ６）。
【００７４】
続いて、全体制御部１６０は、測色計色成分値が正常にＲＡＭ１６２に格納されたことをもって受信の完了を検知し、表示ランプ１８５を所定時間点灯させる（ステップＳＴ７）。
【００７５】
デジタルカメラ１が測色計色成分値を受信する際には、操作者は測色計２を扱っていることとなるが、このように表示ランプ１８５を所定時間点灯させることで、操作者に対して測色計色成分値がデジタルカメラ１によって正常に受信されて保持された旨を認識させることができる。
【００７６】
＜１−４．撮影動作＞
次に、デジタルカメラ１の撮影動作について説明する。図１０は、デジタルカメラ１の撮影動作の流れを示す図である。
【００７７】
まず、シャッタボタン１２９が半押し（Ｓ１状態）されると（ステップＳＴ１１にてＹｅｓ）、カメラ制御用ＣＰＵ１７０により撮影のための準備がなされる。
【００７８】
すなわち、測距センサ１２６からの被写体の距離に基づいてＡＦモータ１２８が制御され、交換レンズ１３により形成される像の位置がＣＣＤ１２３の撮像面に一致される。さらに、測光センサ１２７からの被写体の輝度に基づいて露出条件（絞り、シャッタースピード）の設定がなされる（ステップＳＴ１２）。
【００７９】
次に、シャッタボタン１２９が全押し（Ｓ２状態）されると（ステップＳＴ１３にてＹｅｓ）、ＣＣＤ１２３が設定された露光時間だけ露光して、被写体の画像データが画像信号として取り込まれる。ＣＣＤ２３から出力された画像データは、信号処理回路１４４、Ａ／Ｄ変換部１４５および黒レベル補正回路１４６によって所定の処理が施され、ＷＢ回路１４７に入力される（ステップＳＴ１４）。
【００８０】
次に、画像データの色成分値（全画素のＲＧＢ値：以下、「入射光色成分値」という。）または測色計２から受信した測色計色成分値に基づいて、ＷＢ回路１４７はホワイトバランス補正を行うこととなるが、測色計色成分値を受信していた場合は、精度の高い測色計色成分値が優先して用いられる。
【００８１】
このためホワイトバランス補正を行う前に、全体制御部１６０により測色計色成分値が測色計２から取込まれてＲＡＭ１６２に格納されているか否かが判定される（ステップＳＴ１５）。
【００８２】
測色計色成分値が格納されていない場合（ステップＳＴ１５にてＮｏ）は、デジタルカメラ１が測色計２と連動していないと判断されて、ＷＢ回路１４７において画像データに対して入射光色成分値に基づく通常のホワイトバランス補正がなされる（ステップＳＴ２１）。
【００８３】
一方、測色計色成分値が格納されている場合（ステップＳＴ１５にてＹｅｓ）は、デジタルカメラ１が測色計２と連動していると判断され、続いて、全体制御部１６０により測色計色成分値の示す色と入射光色成分値の示す色との差が求められ、予め計測等によって定められた所定の閾値と比較される（ステップＳＴ１６）。なお、入射光色成分値はＲＧＢ値であり、測色計色成分値はＸＹＺ値であるため単純に色の差を算出することができないが、両色成分値から導出されるホワイトバランス補正用の補正係数（後述）の差や、両色成分値の表色系を統一してからの色成分値の差等を、色の差として用いればよい。
【００８４】
測色計２とデジタルカメラ１とは、同一被写体に対して向けられていることが理想であるが、測色計２がデジタルカメラ１の対象とする被写体の方向に向けられずに測色計色成分値を取得する場合もあり得る。このような場合において取得された測色計色成分値に基づいてホワイトバランス補正を行った場合、適切な色補正が行われずに逆に画質を劣化させてしまうおそれがある。また、測色計２とデジタルカメラ１とが同一被写体に対して向けられている場合は、測色計色成分値の示す色と入射光色成分値の示す色との差は比較的少ないと考えられる。
【００８５】
従って、色の差が所定の閾値以上の場合（ステップＳＴ１６にてＹｅｓ）は、測色計２とデジタルカメラ１とが別方向に向いていると判断され、図１１の如くＬＣＤ１３１に警告が表示される（ステップＳＴ２０）。これにより、操作者に対してその旨を認識させることができる。なお、警告の出力方法は、表示ランプ１８５を点滅させる、所定の警告音を発生する等であってもよい。
【００８６】
続いて、測色計色成分値を用いることが不適切であるため、ＷＢ回路１４７において画像データに対して入射光色成分値に基づく通常のホワイトバランス補正がなされる（ステップＳＴ２１）。
【００８７】
このように、測色計２が被写体方向に向けられていない可能性があっても、入射光色成分値に基づいてホワイトバランス補正がなされるため、不適切な色補正となることを防止することができる。また、画像データを廃棄することなくそのまま処理が継続されるため、いかなる場合であってもシャッターチャンスを逃すことなく撮影を行うことができることとなる。
【００８８】
一方、色の差が所定の閾値未満の場合（ステップＳＴ１６にてＮｏ）は、測色計２とデジタルカメラ１とが同一方向に向いていると判断され、ＲＡＭ１６２から測色計色成分値が読み出されて、ＷＢ回路１４７において画像データに対して測色計色成分値に基づく精度のよいホワイトバランス補正がなされる（ステップＳＴ１７）。その後、画像データは画像メモリ１４８に格納され、全体制御部１６０により圧縮処理されて、タグ情報Ｄｔ、サムネイル画像Ｄｓとともにメモリカード９に記録される（ステップＳＴ１８）。
【００８９】
画像データの記録が完了すると、全体制御部１６０によりＲＡＭ１６２から測色計色成分値が削除される（ステップＳＴ１９）。これにより、次回の撮影時に誤った測色計色成分値によるホワイトバランス補正を行うことを防止することができ、常に最新の測色計色成分値に基づくホワイトバランス補正を行うことができる。
【００９０】
また、入射光色成分値に基づく通常のホワイトバランス補正がなされた場合（ステップＳＴ２１）も同様にして、画像データは画像メモリ１４８に格納され、全体制御部１６０により圧縮処理され、タグ情報Ｄｔ、サムネイル画像Ｄｓとともにメモリカード９に記録される（ステップＳＴ２２）。このとき、不適切であるとして使用されなかった測色計色成分値がＲＡＭ１６２に記憶されている場合はＲＡＭ１６２から削除される（ステップＳ１９）。
【００９１】
ステップＳＴ１８，ＳＴ２２にて画像データとともに記録されるタグ情報Ｄｔには、測色計色成分値に基づいてホワイトバランス補正がなされたか、入射光色成分値に基づいてホワイトバランス補正がなされたかの情報が記載される。これにより、後に当該画像データを扱う場合において、精度のよいホワイトバランス補正がなされたか、通常のホワイトバランス補正がなされたかを容易に判断することができる。
【００９２】
＜１−５．ホワイトバランス補正＞
次に、上記デジタルカメラ１の動作におけるホワイトバランス補正の手法について入射光色成分値に基づく場合と測色計色成分値に基づく場合とについてそれぞれ説明する。なお、以下に説明する手法における演算は、すべてＷＢ回路１４７で行われてもよく、一部の演算を全体制御部１６０のＣＰＵ１６１が分担してもよい。
【００９３】
入射光色成分値（全画素のＲＧＢ値）に基づく場合（通常のホワイトバランス補正）は、まず、取得した画像データの全画素のＲ値、Ｇ値、Ｂ値のそれぞれが合計され、算出された合計値はそれぞれＲｃ，Ｇｃ，Ｂｃとされる。なお、演算の効率化のため、画像データを所定面積の複数のブロックに分割し各ブロックの代表となる画素のみの合計値をＲｃ，Ｇｃ，Ｂｃとしてもよく、所定間隔で画素を間引いた後の画素の合計値をＲｃ，Ｇｃ，Ｂｃとしてもよい。
【００９４】
次に、Ｇｃに対するＲｃおよびＢｃの比率（正確には、その逆数）ｇｒ，ｇｂが、
ｇｒ＝Ｇｃ／Ｒｃ
ｇｂ＝Ｇｃ／Ｂｃ
とそれぞれ算出される。
【００９５】
次に、図１２に示すような横軸をｇｒ、縦軸をｇｂとするグラフに、算出されたｇｒ，ｇｂが補正前点Ｃｂ（ｇｒ，ｇｂ）としてプロットされる。図１２のグラフは取得された画像データ全体の色バランスを示すこととなり、図１２の例では、補正前点Ｃｂが線分Ｌｅ（ｇｂ＝ｇｒとなる線分）の左上側に位置していることから、画像データは全体としてＲ成分に偏っている（赤みがかかっている）ことが分かる。
【００９６】
次に、補正前点Ｃｂ（ｇｒ，ｇｂ）から最短距離となる所定の領域ＷＡ内の点が補正後点Ｃｃ（ｇｒｗ，ｇｂｗ）として設定される。この領域ＷＡは、色バランスの偏りがないとされる画像データの（ｇｒ，ｇｂ）が含まれる領域であり、ホワイトバランス補正後に目的とする色バランスを示す領域として予め計測等により設定されている。なお、補正前点Ｃｂが領域ＷＡ内に含まれていた場合は、色バランスの偏りが無いため、補正前点Ｃｂがそのまま補正後点Ｃｃとして設定される。
【００９７】
ホワイトバランス補正は、補正前点Ｃｂ（ｇｒ，ｇｂ）を、補正後点Ｃｃ（ｇｒｗ，ｇｂｗ）に移動することに相当する。このため、補正前点Ｃｂ（ｇｒ，ｇｂ）を補正後点Ｃｃ（ｇｒｗ，ｇｂｗ）に移動させるための係数Ｋｒｃ，Ｋｂｃが、
Ｋｒｃ＝ｇｒｗ／ｇｒ
Ｋｂｃ＝ｇｂｗ／ｇｂ
とそれぞれ算出される。この係数Ｋｒｃ，Ｋｂｃは、ホワイトバランス補正後に目的とする色バランスと、取得された画像データ全体の色バランスとの相対関係を示す値であり、ホワイトバランス補正のための補正係数となる。
【００９８】
次に、算出された補正係数Ｋｒｃ，Ｋｂｃが、画像データの画素値に反映される。この演算は、補正前の画素値を（Ｒ，Ｇ，Ｂ）、ホワイトバランス補正後の画素値を（Ｒｗ，Ｇｗ，Ｂｗ）とすると、次式によって行われる。
【００９９】
Ｒｗ＝Ｒ／Ｋｒｃ
Ｇｗ＝Ｇ
Ｂｗ＝Ｂ／Ｋｂｃ
この演算が画像データ中の全ての画素について行われることにより、画像データの入射光色成分値に基づくホワイトバランス補正が行われることとなる。
【０１００】
一方、測色計２から取得された高精度の測色計色成分値（ＸＹＺ値）に基づく場合は、まず、ＸＹＺ値が所定のマトリクス演算によりＣＩＥＲＧＢ値に変換される。変換後のＲ値，Ｇ値，Ｂ値は、それぞれＲｓ，Ｇｓ，Ｂｓとされる。
【０１０１】
次に、Ｒｓ，Ｇｓ，Ｂｓを用いて、係数Ｋｒｓ，Ｋｂｓが、
Ｋｒｓ＝Ｒｓ／Ｇｓ
Ｋｂｓ＝Ｂｓ／Ｇｓ
と算出される。この係数Ｋｒｓ，Ｋｂｓは、測色計色成分値の色バランスの偏りを示すこととなり、ホワイトバランス補正のための補正係数としてそのまま使用することが可能である。
【０１０２】
このため、上記と同様にこの補正係数Ｋｒｓ，Ｋｂｓが、次式によって画像データの画素値に反映される。
【０１０３】
Ｒｗ＝Ｒ／Ｋｒｓ
Ｇｗ＝Ｇ
Ｂｗ＝Ｂ／Ｋｂｓ
この演算が画像データ中の全ての画素について行われることにより、画像データの測色計色成分値に基づくホワイトバランス補正が行われることとなる。この補正は高精度の測色計色成分値に基づいて行われるため、ホワイトバランス補正も精度よく行われることとなる。
【０１０４】
以上、第１の実施の形態について説明を行ったが、デジタルカメラ１では、可搬性の測色計２で検出された測色計色成分値を取得し、当該測色計色成分値に基づいて画像データにホワイトバランス補正を行うため、精度よく画像データのホワイトバランス補正を行うことができる。
【０１０５】
また、デジタルカメラ１が測色計２と連動していない場合や、測色計２で検出された測色計色成分値が信頼できる値でない場合は、デジタルカメラ１は入射光成分値に基づいてホワイトバランス補正を行うため、いかなる場合であっても適切なホワイトバランス補正を行うことができる。
【０１０６】
また、デジタルカメラ１は、画像データの記録を完了した際に測色計色成分値を削除するため、次回の撮影時に誤った測色計色成分値によるホワイトバランス補正を行うことを防止することができ、常に適切かつ高精度な測色計色成分値に基づくホワイトバランス補正を行うことができる。
【０１０７】
＜２．第２の実施の形態＞
次に、本発明の第２の実施の形態について説明する。第１の実施の形態においては、デジタルカメラ１内において測色計色成分値に基づくホワイトバランス補正を行うようにしていたが、本実施の形態では測色計色成分値に基づくホワイトバランス補正を外部の画像処理装置により行うようになっている。
【０１０８】
＜２−１．画像処理システムの構成＞
図１３は、本発明の第２の実施に係る画像処理システム１０の概要を示す図である。図１３に示すように、本実施の形態の画像処理システム１０は、色成分値を高精度に検出する測色計２と、測色計２から取得した測色計色成分値と画像データとを関連付けてメモリカード９に記録するデジタルカメラ１と、メモリカード９を介して画像データを取得しホワイトバランス補正等の画像処理を行う画像処理装置３とを備えている。
【０１０９】
本実施の形態のデジタルカメラ１の構成は、図２ないし図５に示した第１の実施の形態のデジタルカメラ１とほぼ同様であるが、デジタルカメラ１の全体制御部１６０のＲＯＭ１６３内には、デジタルカメラ１に固有の特性を示す色特性情報となるカラーマッチング用のＩＣＣ（Ｉｎｔｅｒｎａｔｉｏｎａｌ  Ｃｏｌｏｒ  Ｃｏｎｓｏｔｉｕｍ）プロファイル（以下、「カメラプロファイル」という。）が予め記憶されている。また、本実施の形態の測色計２の構成は、図７に示す第１の実施の形態の測色計２と同様である。
【０１１０】
図１４は、画像処理装置３の構成を示すブロック図である。画像処理装置３は、ＣＰＵ３１、ＲＯＭ３２およびＲＡＭ３３をバスラインに接続した一般的なコンピュータシステムの構成となっている。バスラインにはさらに、ディスプレイ３５、操作者からの入力を受け付けるキーボード３６ａおよびマウス３６ｂ、データやプログラム等を保存する固定ディスク３４、記録ディスク９１（光ディスク、磁気ディスク、光磁気ディスク等）との間で情報の受け渡しを行う読取装置３７、並びに、メモリカード９との間で情報の受け渡しを行うカードスロット３８が、適宜、インターフェイス（Ｉ／Ｆ）を介する等して接続される。
【０１１１】
ＲＡＭ３３、固定ディスク３４、読取装置３７およびカードスロット３８は互いにデータの受け渡しが可能とされており、ＣＰＵ３１の制御の下、ディスプレイ３５には各種情報やメモリカード９に記憶されている画像データの表示が可能とされる。
【０１１２】
図２に示すプログラム３４１は、記録ディスク９１から読取装置３７を介して固定ディスク３４に記憶され、固定ディスク３４からＲＡＭ３３へと転送されたものであり、ＣＰＵ３１による実行が可能とされる。ＣＰＵ３１がプログラム３４１を実行することによって画像処理装置としての各種機能が実現されることとなる。なお、画像処理装置３がコンピュータ通信手段を備えている場合は、プログラム３４１を所定のサーバ装置から通信回線を介してダウンロードして、固定ディスク３４に記憶するようになっていてもよい。
【０１１３】
＜２−２．測色計およびデジタルカメラの動作＞
本実施の形態の測色計２の色成分値を検出する際の動作は既述の図８に示したものと同様であり、デジタルカメラ１の測色計２から色成分値を取得する際の動作は既述の図９に示したものと同様である。
【０１１４】
図１５は、本実施の形態のデジタルカメラ１の撮影動作の流れを示す図である。この撮影動作の流れは、図１０に示した第１の実施の形態のデジタルカメラ１の撮影動作の流れとほぼ同様であるため、主として相違点を説明する。
【０１１５】
ステップＳＴ３１〜ＳＴ３４の動作は、図１０のステップＳＴ１１〜ＳＴ１４と同様であり、これにより取得された画像データは所定の処理が施されＷＢ回路１４７に入力される。
【０１１６】
続いて、測色計色成分値がＲＡＭ１６２に格納されていない場合は（ステップＳＴ３５にてＮｏ）、第１の実施の形態と同様にＷＢ回路１４７において画像データに対して入射光色成分値に基づく通常のホワイトバランス補正がなされる（ステップＳＴ４１）。
【０１１７】
また、測色計色成分値がＲＡＭ１６２に格納されている（ステップＳＴ３５にてＹｅｓ）が、測色計色成分値の示す色と入射光色成分値の示す色との差が所定の閾値以上の場合（ステップＳＴ３６にてＹｅｓ）は、第１の実施の形態と同様に、ＬＣＤ１３１に警告が表示され（ステップＳＴ４０）、ＷＢ回路１４７において画像データに対して入射光色成分値に基づく通常のホワイトバランス補正がなされる（ステップＳＴ４１）。
【０１１８】
このようにして通常のホワイトバランス補正がなされた画像データは、画像メモリ１４８に格納され、全体制御部１６０によりカメラプロファイルと関連付けられるとともに（ステップＳＴ４２）、圧縮処理され、タグ情報Ｄｔ、サムネイル画像Ｄｓとともにメモリカード９に記録される（ステップＳＴ４３）。カメラプロファイルは、タグ情報Ｄｔの一部の情報として記録される。このとき、不適切であるとされた測色計色成分値がＲＡＭ１６２に記憶されている場合は、ＲＡＭ１６２から削除される（ステップＳ３９）。
【０１１９】
一方、測色計色成分値がＲＡＭ１６２に格納されており（ステップＳＴ３５にてＹｅｓ）測色計色成分値の示す色と入射光色成分値の示す色との差が所定の閾値未満の場合（ステップＳＴ３６にてＮｏ）、すなわちデジタルカメラ１が測色計２と正常に連動していると判断された場合は、画像データはＷＢ回路１４７でホワイトバランス補正が行われずに、そのまま画像メモリ１４８に格納される。
【０１２０】
そして、全体制御部１６０により測色計色成分値とカメラプロファイルとが関連付けられるとともに（ステップＳＴ３７）、圧縮処理され、タグ情報Ｄｔ、サムネイル画像Ｄｓとともにメモリカード９に記録される（ステップＳＴ３８）。
【０１２１】
測色計色成分値とカメラプロファイルとは、図１６に示すように、タグ情報Ｄｔの一部の情報となり、画像データＤｆに測色計色成分値ＳｃとカメラプロファイルＰｃとが関連付けて記録されることとなる。
【０１２２】
このように、デジタルカメラ１が画像データに対してホワイトバランス補正を行わずに測色計色成分値とカメラプロファイルとを関連付けて記録することによって、後に画像処理装置３において測色計色成分値やカメラプロファイル等に基づいて操作者の嗜好に応じたホワイトバランス補正等の画像処理を行うことが可能になる。
【０１２３】
画像データの記録が完了すると、全体制御部１６０によりＲＡＭ１６２から測色計色成分値が削除される（ステップＳＴ３９）。これにより、次回の撮影時に誤った測色計色成分値の関連付けを行うことを防止することができ、常に最新の測色計色成分値の関連づけを行うことができる。
【０１２４】
＜２−３．画像処理装置における処理＞
次に、上記のようにして測色計色成分値ＳｃとカメラプロファイルＰｃとが関連付けられた画像データＤｆに対して、画像処理装置３が行う処理について説明する。
【０１２５】
図１７は、画像処理装置３の主たる機能構成を示すブロック図であり、図１７において、画像処理アプリケーション３４２および色再現部３４３は、画像処理装置３のＣＰＵ３１がプログラム３４１を実行することにより実現される機能を示している。図１７に示すように、固定ディスク３４にはディスプレイ３４に固有の特性を示す色特性情報となるカラーマッチング用のＩＣＣプロファイル（以下、「ディスプレイプロファイル」という。）が、予め記憶されている。
【０１２６】
デジタルカメラ１で撮影された画像データＤｆと、画像データＤｆに関連付けられた測色計色成分値ＳｃとカメラプロファイルＰｃとは、メモリカード９を介して、画像処理装置３に入力される。すなわち、メモリカード９をカードスロット３８に装填することによって、画像処理装置３がメモリカード９に記憶された画像データＤｆ、測色計色成分値ＳｃおよびカメラプロファイルＰｃを取り扱い可能となる。
【０１２７】
画像処理アプリケーション３４２は、画像データＤｆに対して各種画像処理を行う機能を有している。この機能一つとして、画像データＤｆに関連付けられた測色計色成分値Ｓｃを用いて、画像データＤｆに対してホワイトバランス補正を行う機能を有している。ホワイトバランス補正の手法としては、既述の測色計色成分値に基づくホワイトバランス補正の手法が適用でき、画像処理装置３においても精度のよいホワイトバランス補正を行うことができる。
【０１２８】
色再現部３４３は、画像データＤｆの色を適切に再現する色再現処理を行うものである。具体的には、入力側デバイスであるデジタルカメラ１の特性を示すカメラプロファイルＰｃに基づいて、画像データＤｆをデバイスに依存しない表色系（Ｌａｂ表色系等）に変換する。さらに、変換した画像データＤｆに対して、出力側デバイスであるディスプレイ３５の特性を示すカメラプロファイルＰｃに基づいて、色再現域（Ｇａｍｕｔ）の調整を行うとともにディスプレイ３５が出力可能な表色系に変換する。このような処理により、カラーマッチングが行われ、デジタルカメラ１で取得された画像データＤｆの色がディスプレイ３５上に適切に再現される。
【０１２９】
このような画像処理アプリケーション３４２や色再現部３４３の機能は、操作者の嗜好に応じて選択的に使用することが可能となっている。
【０１３０】
例えば、画像データＤｆに対して、画像処理アプリケーション３４２により測色計色成分値Ｓｃに基づくホワイトバランス補正を行うとともに、色再現部３４３により色再現処理を行った後にディスプレイ３５に表示することが可能である。また、画像データＤｆに対して、画像処理アプリケーション３４２により測色計色成分値Ｓｃに基づくホワイトバランス補正を行ってそのままディスプレイ３５に表示することや、ホワイトバランス補正を行わずに色再現部３４３により色再現処理を行ってディスプレイ３５に表示することも可能である。
【０１３１】
画像データＤｆに対してホワイトバランス補正および色再現処理のいずれを行う場合であっても、画像データＤｆに測色計色成分値ＳｃとカメラプロファイルＰｃとが関連付けられているため、測色計色成分値ＳｃまたはカメラプロファイルＰｃを即座に使用することができ、利便性が高い。
【０１３２】
以上、第２の実施の形態について説明を行ったが、画像処理システム１０では、デジタルカメラ１が画像データに測色計色成分値を関連付けて記録するため、画像処理装置３において画像データに対しホワイトバランス補正を行う場合であっても、精度よくホワイトバランス補正を行うことができる。
【０１３３】
また、デジタルカメラ１が画像データにカメラプロファイルを関連付けて記録するため、画像処理装置３においてカラーマッチングを行うことができ、画像データの色を適切に再現することができる。
【０１３４】
＜３．変形例＞
以上、本発明の実施の形態について説明してきたが、この発明は上記実施の形態に限定されるものではなく様々な変形が可能である。
【０１３５】
例えば、上記実施の形態では、デジタルカメラ１と測色計２とは、Ｂｌｏｅｔｏｏｔｈ（Ｒ）規格に準拠した無線通信によって測色計色成分値の伝送を行うものとして説明を行ったが、どのような規格の無線通信で測色計色成分値の伝送を行ってもよい。また、接続ケーブル等を介した有線通信によって測色計色成分値の伝送を行ってもよい。
【０１３６】
また、上記実施の形態のデジタルカメラ１は、第１の実施の形態と第２の実施の形態とにおける撮影時の動作を設定により切り替え可能となっていてもよい。すなわち、画像データに対して測色計色成分値に基づいてホワイトバランス補正を行うモードと、画像データに対して測色計色成分値を関連付けて記録するモードとを設定によって切り替えられるようになっていてもよい。
【０１３７】
また、上記実施の形態のホワイトバランス補正の手法についてはこれに限定されるものではなく、例えば、照明光の色温度に応じた補正テーブルを予め用意しておき、検出された色温度に応じた補正テーブルによって各画素値を補正する手法など、どのような手法が用いられてもよい。色温度を用いる場合は、測色計２が色温度を色成分値として取得するようにすればよい。ホワイトバランス補正の手法としていかなる手法が用いた場合であっても、測色計２からの色成分値を用いることにより精度よくホワイトバランス補正を行うことが可能である。
【０１３８】
また、上記実施の形態においては、デジタルカメラに固有の特性を示す色特性情報としてＩＣＣプロファイルを用いるものとして説明を行ったが、どのようなデータフォーマットの情報を用いてもよい。
【０１３９】
また、上記実施の形態でデジタルカメラ１の全体制御部１６０のＣＰＵ１６１が制御プログラムに従って演算を行うことにより実現されるとした機能の一部は専用の電気的回路により実現されてもよい。特に、繰り返し演算を行う箇所をロジック回路にて構築することにより、高速な演算が実現される。
【０１４０】
【発明の効果】
以上説明したように、請求項１および２の発明によれば、測色計で検出された測色計色成分値に基づいて画像データに色補正処理を行うため、精度よく画像データの色補正を行うことができる。また、デジタルカメラ１がデータ通信によって測色計から測色計色成分値を受信している場合と、測色計から測色計色成分値を受信していない場合とで色補正処理の内容を相違させるため、測色計からデータ通信しない場合においても、測色計からの測色計色成分値を取得したか否かにかかわらず、色補正処理を行うことができる。
【０１４１】
また特に、請求項２の発明によれば、デジタルカメラ１が測色計から測色計色成分値を受信している場合は測色計色成分値に基づいて精度よく色補正を行うことが可能であり、測色計から測色計色成分値を受信していない場合においても入射光成分値に基づいて適切な色補正を行うことが可能である。
【０１４３】
また、請求項３の発明によれば、測色計からの測色計色成分値から導出される値と、デジタルカメラで取得される入射光色成分値から導出される値との差が所定の閾値以上となる場合は、デジタルカメラの対象とする被写体の方向に測色計が向けられていない可能性が高いが、このような場合入射光色成分値に基づいて色補正処理を行うため、不適切な色補正となることを防止することができるとともに、処理が継続されるためシャッターチャンスを逃すこと無く撮影することができる。デジタルカメラが測色計から測色計色成分値を受信していない場合についても同様である。また、デジタルカメラが測色計から測色計色成分値を受信している場合であって且つ上記の差が所定の閾値未満の場合であれば、デジタルカメラの対象とする被写体の方向に測色計が向けられていると考えられるため、測色計色成分値に基づいて精度よく色補正を行うことができる。
【図面の簡単な説明】
【図１】本発明の第１の実施の形態に係る画像処理システムの概要を示す図である。
【図２】デジタルカメラの要部構成を示す平面図である。
【図３】デジタルカメラの要部構成を示す断面図である。
【図４】デジタルカメラの要部構成を示す背面図である。
【図５】デジタルカメラ内部の主たる構成を示すブロック図である。
【図６】メモリカードに記憶されるデータ構成を説明するための図である。
【図７】測色計の主たる機能構成を示すブロック図である。
【図８】測色計の色成分値を検出する際における動作の流れを示す図である。
【図９】デジタルカメラの色成分値を取得する際における動作の流れを示す図である。
【図１０】第１の実施の形態のデジタルカメラ１の撮影動作の流れを示す図である。
【図１１】ＬＣＤに出力される警告表示の例を示す図である。
【図１２】ホワイトバランス補正手法を説明するための図である。
【図１３】本発明の第２の実施の形態に係る画像処理システムの概要を示す図である。
【図１４】画像処理装置の構成を示すブロック図である。
【図１５】第２の実施の形態のデジタルカメラ１の撮影動作の流れを示す図である。
【図１６】メモリカードに記憶されるデータ構成を説明するための図である。
【図１７】画像処理装置の主たる機能構成を示すブロック図である。
【符号の説明】
１      デジタルカメラ
２      測色計
３      画像処理装置
５      被写体
９      メモリカード
１０      画像処理システム
１４７      ＷＢ回路
１８５      表示ランプ
【図１】
0003614126.tif 000002
【図２】
0003614126.tif 000003
【図３】
0003614126.tif 000004
【図４】
0003614126.tif 000005
【図５】
0003614126.tif 000006
【図６】
0003614126.tif 000007
【図７】
0003614126.tif 000008
【図８】
0003614126.tif 000009
【図９】
0003614126.tif 000010
【図１０】
0003614126.tif 000011
【図１１】
0003614126.tif 000012
【図１２】
0003614126.tif 000013
【図１３】
0003614126.tif 000014
【図１４】
0003614126.tif 000015
【図１５】
0003614126.tif 000016
【図１６】
0003614126.tif 000017
【図１７】
0003614126.tif 000018